(57)【要約】  プラズマアクチュエータ、誘電体バリア放電電極、又はその両方を含むプラズマ発生器は、吸気ストリーム内に配置される。プラズマアクチュエータは、プラズマ発生器の内面に配置され、吸気ストリームに露出する。誘電体バリア放電電極は、吸気ストリーム内に突出する。プラズマ、好ましくはＤＢＤプラズマ、グロープラズマ、又はフィラメントプラズマは、空気の吸気ストリームで生成され、ストリーム中でラジカルを生成し、ストリーム中でラジカルを混合し、抵抗を減らしながら、吸気ストリーム中の空気の推力を増加させる。同心シリンダをプラズマ発生器内にさらに配置することができ、プラズマアクチュエータ、誘電体バリア放電電極、又はその両方をさらにシリンダの内面及び外面に配置することができる。
2021525849.tif 000002
【特許請求の範囲】
【請求項１】
吸気ストリームに連結された燃焼室を有する内燃機関（ＩＣＥ）用のインテークプラズマ発生器であって、
少なくとも部分的に前記吸気ストリームの基端側に配置された第一及び第二の誘電体バリア放電（ＤＢＤ）電極を含み、
前記第一及び第二のＤＢＤ電極は、吸気ストリーム中の反応領域に複数の酸化体を生成し、前記複数の酸化体は、前記吸気ストリームの物質を処理して、前記燃焼室内の燃焼効率を高める、インテークプラズマ発生器。
【請求項２】
前記第一のＤＢＤ電極はプラズマアクチュエータである、請求項１に記載のインテークプラズマ発生器。
【請求項３】
前記第一及び第二のＤＢＤ電極は、少なくともグライディングアークプラズマ及びＤＢＤプラズマを含むハイブリッドプラズマを前記反応領域内で発生させる、請求項１又は２に記載のインテークプラズマ発生器。
【請求項４】
前記第一のＤＢＤ電極の壁は、前記壁の外側に配置された第一の高電圧電極の接地電極である、請求項２に記載のインテークプラズマ発生器。
【請求項５】
前記第二のＤＢＤ電極の壁は、前記壁の外側に配置された第二の高電圧電極の接地電極である、請求項４に記載のインテークプラズマ発生器。
【請求項６】
第三のＤＢＤ電極をさらに備え、前記第一、第二、及び第三の電極は、前記吸気ストリーム中に配置されて、前記吸気ストリームを通過する物質のカルマン渦列の流体不安定性を補償する、請求項１〜５のいずれか一項に記載のインテークプラズマ発生器。
【請求項７】
前記第一及び第二のＤＢＤ電極は、前記発生器の長さに沿った軸をそれぞれ有し、前記第一及び第二のＤＢＤ電極は、各軸が前記吸気ストリーム中の物質の流れに垂直な状態で前記吸気ストリーム中に配置される、請求項２に記載のインテークプラズマ発生器。
【請求項８】
前記第一及び第二のＤＢＤ電極は、壁を含む管状である、請求項１〜７のいずれか一項に記載のインテークプラズマ発生器。
【請求項９】
燃焼室に連結された吸気ストリームを有する内燃機関（ＩＣＥ）用のインテークプラズマ発生器であって、
前記インテークプラズマ発生器の内面に配置され、前記吸気ストリームに配置され且つ少なくとも部分的に前記吸気ストリームに露出された第一のプラズマアクチュエータと、
前記インテークプラズマ発生器の内面に配置され、前記吸気ストリームに配置され且つ少なくとも部分的に前記吸気ストリームに露出された第一のＤＢＤ電極と、を備え、
前記第一のプラズマアクチュエータ又はＤＢＤ電極は、前記吸気ストリーム中に複数のラジカルを生成し、前記複数のラジカルは、前記燃焼室における燃焼効率を高める、インテークプラズマ発生器。
【請求項１０】
前記プラズマ発生器は、前記ＩＣＥの吸気プレナムの上流に、又は前記ＩＣＥの排気再循環（ＥＧＲ）の上流に配置され、前記ＤＢＤ電極は、第二のプラズマアクチュエータである、請求項９に記載のインテークプラズマ発生器。
【請求項１１】
前記インテークプラズマ発生器内に配置され、前記インテークプラズマ発生器の一部に実質的に平行に配置されたシリンダをさらに備え、前記シリンダは、前記シリンダの表面の周囲に第二のアクチュエータ電極を備え、前記シリンダは前記複数のラジカルの混合を誘発する、請求項９又は１０に記載のインテークプラズマ発生器。
【請求項１２】
板状又は円筒状の絶縁構造のうちの少なくとも１つを含む、請求項９〜１１のいずれか一項に記載のインテークプラズマ発生器。
【請求項１３】
電気的に遮蔽され、前記インテークプラズマ発生器に連結された回路筐体をさらに含み、前記電気的に遮蔽された回路筐体は、接地ワイヤ及び高電圧変圧器用の高電圧ワイヤを取り囲む、請求項９〜１２のいずれか一項に記載のインテークプラズマ発生器。
【請求項１４】
前記プラズマ発生器のリアクタチャンバは接地されている、請求項１３に記載のインテークプラズマ発生器。
【請求項１５】
前記第一のプラズマアクチュエータ又は前記ＤＢＤ電極のうちの少なくとも１つは、プラズマを使用して前記吸気ストリームに推力を生成する、請求項９〜１４のいずれか一項に記載のインテークプラズマ発生器。
【請求項１６】
前記第一のプラズマアクチュエータ、前記ＤＢＤ電極、又は前記インテークプラズマ発生器の誘電体材料のうちの少なくとも１つは、表面特徴物を有する、請求項９〜１５のいずれか一項に記載のインテークプラズマ発生器。
【請求項１７】
電力送達モジュールは、前記インテークプラズマ発生器のリアクタへのブラインドメイト接続を有する、請求項９〜１６のいずれか一項に記載のインテークプラズマ発生器。
【請求項１８】
第一及び第二の電力送達モジュールは、第一及び第二のアクチュエータ電極に電力を供給する、請求項９〜１７のいずれか一項に記載のインテークプラズマ発生器。
【請求項１９】
前記シリンダは、構造部材によって支持され、前記構造部材は、電極を含む、請求項１１に記載のインテークプラズマ発生器。
【請求項２０】
ＩＣＥ装置の空気の吸気ストリームに構造的に一体化されている、又は別個に追加されている、請求項９〜１９のいずれか一項に記載のプラズマ発生器を含むシステム。
【発明の詳細な説明】
【技術分野】
【０００１】
本発明の分野は、プラズマ発生システムである。
【背景技術】
【０００２】
背景の説明は、本発明の理解に有益であり得る情報を含む。これは、本明細書で提供される情報の何れかが先行技術であること、本願で特許請求される本発明に関係していること、又は具体的若しくは黙示的に言及された何れかの刊行物が先行技術であることを認めるものではない。
【０００３】
内燃機関（ＩＣＥ：ｉｎｔｅｒｎａｌ  ｃｏｍｂｕｓｔｉｏｎ  ｅｎｇｉｎｅｓ）は、本質的に汚染物質を排出するが、これは、長年の問題であり、排出ガス制御技術、例えば業界標準の触媒の開発により、その低減が模索されている。しかしながら、触媒及び他の排出ガス制御技術は、一部の汚染物質排出の低減に有効であることが分かっているものの、このような技術は、ＩＣＥの全動作温度で機能できるわけではない。
【０００４】
既知の排出ガス制御技術には、放電被毒（ｄｉｓｃｈａｒｇｅ  ｐｏｉｓｏｎｉｎｇ）のために酸化体生成範囲が限定的であること、及び該当する場合には吸気ストリームの内部のプラズマ発生器の外壁における摩擦抵抗が高いという問題がある。さらに、既知の方法では、ＩＣＥ装置の燃焼室に引き込まれる空気の成分の混合があまりうまくいかない。さらに、既知の技術は、一般に、平均的な消費者が、ＩＣＥ装置の効率を改善するために設計されたシステムにアクセスする、同システムを組み立てる若しくは保守するには技術的に高度でありすぎるか、又はモジュール性を欠いている。
【０００５】
本明細書に記載の刊行物のすべては、それぞれの個々の刊行物又は特許出願が具体的且つ個別に参照により援用されると明示されているかのように、参照により援用される。援用された参考文献内のある用語の定義又は使用が、本明細書で提供されるその用語の定義と矛盾するか又は異なる場合、本明細書において提供されるその用語の定義が適用され、参照文献内のその用語の定義は、適用されない。
【０００６】
以下の説明は、本発明の理解に有益であり得る情報を含む。これは、本明細書で提供される情報の何れかが先行技術であること、本願で特許請求される本発明に関係していること、又は具体的若しくは黙示的に言及された何れかの刊行物が先行技術であることを認めるものではない。
【０００７】
幾つかの実施形態において、本発明の特定の実施形態を説明及び特許請求するために使用される成分の量、濃度等の特性、反応条件などを表す数は、場合により「約」という用語で修飾されると理解されたい。したがって、幾つかの実施形態において、本明細書及び添付の特許請求の範囲に記された数値パラメータは、概数であり、特定の実施形態によって得ようとする所望の特性に応じて変化し得る。幾つかの実施形態において、数値パラメータは、報告された有効桁数に照らし、通常の丸め法を適用することによって解釈されるべきである。本発明の幾つかの実施形態の広い範囲を示す数値範囲及びパラメータは、概数であるものの、特定の例において示される数値は、できるだけ正確に報告される。本発明の幾つかの実施形態において提示される数値は、それぞれの試験測定に見られる標準偏差から必然的に生じる特定の誤差を含み得る。
【０００８】
本明細書中及びそれに続く特許請求の範囲全体を通して使用されるとき、「１つの（ａ）」、「1つの（ａｎ）」及び「その（ｔｈｅ）」の意味は、文脈上明らかに異なる解釈が必要でない限り、複数への言及を含む。また、本明細書で使用されるとき、「内（ｉｎ）」の意味は、文脈上明らかに異なる解釈が必要でない限り、「内（ｉｎ）」及び「上（ｏｎ）」を含む。
【０００９】
本明細書中の数値範囲の引用は、その範囲に含まれる別々の値の各々に個別に言及するための簡略的方法としての役割を果たすにすぎないものとする。本明細書に別段の明記がない限り、個々の値は、それぞれ本明細書で個別に引用されているかのように本明細書に含まれる。本明細書に記載のすべての方法は、本明細書中に別段の明記がない限り又は文脈上明らかに矛盾しない限り、何れの適当な順序で行うこともできる。本明細書において特定の実施形態に関して提供されるいかなる例又は例示的用語（例えば、「等」）の使用も、本発明をより明らかにしようとするものにすぎず、他に特許請求される本発明の範囲を限定しない。本明細書中の何れの文言も、本発明の実施にとって必要である要素であって、特許請求されていない何れかの要素を示すと解釈すべきではない。
【００１０】
本明細書で開示されている本発明の代替的要素又は実施形態の分類は、限定と解釈されないものとする。各群の構成要素は、個別に又はその群の他の構成要素若しくは本明細書に記載されている他の要素との何れの組合せでも言及及び特許請求され得る。ある群の１つ以上の構成要素は、便宜上且つ／又は特許性の点から、ある群に含めるか又はそれから除外することができる。このような何れかの包含又は削除が行われた場合、本明細書は、変更後のその群を含み、したがって添付の特許請求の範囲で使用されるすべてのマーカッシュ分類の記載を満たすと本明細書においてみなされる。
【発明の概要】
【発明が解決しようとする課題】
【００１１】
したがって、酸素及び窒素ラジカルで燃焼効率を増大させ、システム内の抵抗を低減させるための改善されたプラズマ、ラジカル及び酸化体発生システム及び方法が依然として求められている。
【課題を解決するための手段】
【００１２】
本発明の主題は、インテーク（ｉｎｔａｋｅ）プラズマ発生器が、少なくとも部分的に内燃機関の吸気ストリームの基端側、例えばＩＣＥエンジンの上流の吸気ストリーム中、に配置された２つのプラズマアクチュエータ（例えば、２つの誘電体バリア放電（ＤＢＤ：ｄｉｅｌｅｃｔｒｉｃ  ｂａｒｒｉｅｒ  ｄｉｓｃｈａｒｇｅ）電極）を有する、装置、システム及び方法を提供する。２つのＤＢＤ電極は、例えば、吸気ストリーム中の反応領域について複数の酸化体を生成する。複数の酸化体は、吸気ストリーム中の物質を処理して、吸気ストリームの下流のＩＣＥエンジンのシリンダ又は燃焼室内の燃料の燃焼効率を向上させる。
【００１３】
一般に、第一及び第二のＤＢＤ電極は、管状であり、且つ管状壁を有する。しかしながら、幾つかの実施形態において、ＤＢＤ電極の少なくとも一方（好ましくは両方）は、プラズマ発生器の内部表面、例えばプラズマ発生器内の誘電体表面に取り付けられた（例えば、誘電材料に埋め込まれた）プラズマアクチュエータである。幾つかの実施形態において、第一及び第二のＤＢＤ電極は、グライディングアークプラズマ及びＤＢＤプラズマを含むハイブリッドプラズマを反応領域内で発生させるが、プラズマの追加的な組合せ、例えば非熱プラズマ（例えば、フィラメントプラズマ、グロープラズマ等）又はその組合せが想定される。好ましい実施形態において、反応領域は、ＤＢＤ又は非熱プラズマである。
【００１４】
ＤＢＤ電極の壁は、壁の外側に配置された第一の高電圧電極のための接地電極としての役割を果たすこともできる（例えば、第一のＤＢＤ電極は、第一の高電圧電極のための接地電極である等）。幾つかの実施形態において、アークプラズマ放電は、第一のＤＢＤ電極及び第一の高電圧電極の壁にわたって発生するが、非熱プラズマ、ＤＢＤプラズマ、グロープラズマ又はフィラメントプラズマも放電され得ることが想定される。
【００１５】
同様に、第二のＤＢＤ電極の壁は、壁の外側に位置付けられた第二の高電圧電極のための接地電極であり得、第一及び第二の高電圧電極（誘電材料なし）にわたるアークプラズマ放電、若しくは第一及び第二のＤＢＤ電極壁（例えば、誘電材料あり）にわたる非熱プラズマ放電又はその組合せが発生する。幾つかの実施形態において、第一のプラズマ放電（例えば、非熱プラズマ、ＤＢＤプラズマ、グロープラズマ又はフィラメントプラズマ、稀にアークプラズマ）は、第一及び第二のＤＢＤ電極壁にわたって発生する一方、第二のプラズマ放電は、第三の電極の壁並びに第一及び第二のＤＢＤ電極の何れか（又は両方）の壁にわたって発生する。第二の放電は、第一の放電より大きい電圧のものであり得ることが想定される。
【００１６】
好ましくは、ＤＢＤ電極（１つ、２つ、３つ、６つ以上、２１以上等）は、吸気ストリーム中に配置されて、吸気ストリームを通過する物質（例えば、空気、空気／燃料混合物等）のカルマン渦列の流体不安定性を補償する。別の視点から見ると、ＤＢＤ電極は、発生器の長さに沿った軸をそれぞれ有し、ＤＢＤ電極の（少なくとも）幾つかは、その軸が吸気ストリーム中の流れに垂直な状態で吸気ストリーム中に配置される。
【００１７】
第一のＤＢＤ電極の上流の吸気ストリーム中に配置されたプラズマアクチュエータも想定され、それにより、プラズマアクチュエータは、吸気ストリームを通過する物質を帯電させ、荷電物質を第一のＤＢＤ電極に向けて加速させる。幾つかの実施形態において、プラズマアクチュエータ（又は複数のプラズマアクチュエータ）は、本発明の主題のプラズマ発生器の上流、下流又は反応領域内に配置される。本発明の主題のプラズマアクチュエータは、ＤＢＤプラズマ、グロープラズマ又はフィラメントプラズマを発生させることができる。別の視点から見ると、幾つかのプラズマアクチュエータは、ＤＢＤ電極でもある。例えば、プラズマアクチュエータは、プラズマ発生器の内面（例えば、プラズマ発生器の内部に露出されて、吸気ストリームに露出されて、吸気ストリーム中の空気に露出されて等）に点として、又は不規則（例えば、ランダム）若しくは規則的（例えば、均一、反復、幾何学的等）パターンとして埋め込まれ得る。幾つかの実施形態において、プラズマアクチュエータ、より好ましくは複数のプラズマアクチュエータは、ＤＢＤ電極を追加することなく使用される。
【００１８】
本発明の主題は、非熱誘電体バリア放電プラズマがＩＣＥエンジンの吸気ストリーム中の空気においてラジカル酸化体を生成することを想定し、これは、エンジンのシリンダ又は燃焼室の内部の燃料の燃焼を向上させる。これは、向上した効率、より高い出力及びより低い排出を促進する。本発明の主題は、有利には、コールドスタート状態で排出ガスを減少させ、これは、排ガス触媒のライトオフ温度より低い温度で動作する既知の排出ガス制御技術がないように思われるため、重要である。
【００１９】
本発明の主題は、非熱誘電体バリア放電プラズマが、好ましくは、ＩＣＥエンジンの吸気ストリーム中の電子及び陽イオンを加速させることにより、周囲の空気に対する推力を発生させ、これが中性の空気分子を取り込むことをさらに想定する。これは、向上した効率、より高い出力及びより低い排出をさらに促進する。
【００２０】
本発明の主題の様々な目的、特徴、態様及び利点は、添付図面の図とともに好ましい実施形態の以下の詳細な説明からより明らかとなり、図中、同様の番号は、同様の構成要素を表す。
【００２１】
以下の定義は、本発明の主題の技術分野において有益である。
ＤＢＤ：電子に対するイオン／気体／中性粒子の温度間で非平衡状態であるフィラメント又はグロー型プラズマによる誘電体バリア放電。
【００２２】
アーク放電：電子に対するイオン／気体／中性粒子の温度間で平衡状態に近いアークプラズマ放電。
ハイブリッドプラズマ：同じ反応領域内における、又は相互に近接する反応領域内における２種類以上のプラズマ。
【００２３】
ラジカル：酸化体。
Ｏ３：オゾン。
ＮＯ：一酸化窒素。
【００２４】
ＮＯ２：二酸化窒素。
ＤＯＣ：ディーゼル酸化触媒。
ＤＰＦ：ディーゼル微粒子捕集フィルタ。
【００２５】
電気フィードスルー：絶縁体及び実装機構を含む電極。
コアンダ効果：流れの中で表面に付着する、巻き込まれた流れ。
放電被毒：過剰なエネルギーがプラズマ発生器に供給され、過剰な熱によって酸化体の生成が減少すること。
【００２６】
プラズマアクチュエータ：空気の荷電粒子種を加速させるプラズマ発生器。
内燃機関（ＩＣＥ）：レシプロ、ロータリ、タービン、ジェット及びロケットエンジンを含むあらゆる燃焼機関。
【００２７】
インテークカウル：ジェットタービンの圧縮ステージに入るところ。
コールドスタート：エンジンが周囲／環境温度から始動されること。
【図面の簡単な説明】
【００２８】
【図１】本発明の主題の電極の断面図を示す。
【図２Ａ−２Ｃ】本発明の主題の電極の周囲の物質の流れを示す図である。
【図３】本発明の主題のインテークプラズマ発生器内の電極アレイの断面図である。
【図４】本発明の主題のインテークプラズマ発生器内の他の電極アレイを示す図である。
【図５Ａ−５Ｂ】本発明の主題のインテークプラズマ発生器を示す図である。
【図６】本発明の主題の電極間の放電を示す図である。
【図７】本発明の主題の他の電極を示す図である。
【図８】本発明の主題の他の電極アレイを示す図である。
【図９】本発明の主題の別の電極アレイを示す図である。
【図１０】本発明の主題の他のインテークプラズマ発生器を示す図である。
【図１１】本発明の主題のシステムの概略を示す図である。
【図１２】本発明の主題の他のシステムの概略を示す図である。
【図１３】本発明の主題のプラズマ発生器の動作の概略を示す図である。
【図１４Ａ−１４Ｃ】本発明の主題のまた別のプラズマ発生器を示す図である。
【図１４Ｄ】本発明の主題のプラズマ発生器の構成要素を示す図である。
【図１４Ｅ】本発明の主題のプラズマ発生器の他の構成要素を示す図である。
【図１５Ａ】本発明の主題のさらに別のプラズマ発生器を示す図である。
【図１５Ｂ】本発明の主題のプラズマ発生器の一部を示す図である。
【図１５Ｃ】本発明の主題のプラズマ発生器の他の部分を示す図である。
【図１６Ａ−１６Ｃ】本発明の主題のプラズマ発生器のまた別の構成要素を示す図である。
【図１７】エアインテーク部品に組み込まれた本発明の主題のプラズマ発生器を示す図である。
【図１８】他のエアインテーク部品に組み込まれた本発明の主題のプラズマ発生器を示す図である。
【図１９】本発明の主題のプラズマ発生器を２つ搭載するシステムを示す図である。
【図２０】また別のエアインテーク部品に組み込まれた本発明の主題のプラズマ発生器を示す図である。
【図２１】さらに別のエアインテーク部品に組み込まれた本発明の主題のプラズマ発生器を示す図である。
【図２２Ａ−２２Ｂ】ジェットタービンエンジンに組み込まれた本発明の主題のプラズマ発生器を示す図である。
【図２３Ａ−２３Ｂ】本発明の主題のさらに別のプラズマ発生器を示す図である。
【図２４】本発明の主題のプラズマ発生器のまた別の構成要素を示す図である。
【発明を実施するための形態】
【００２９】
本発明の主題の方法、システム及び機器は、ＩＣＥエンジンの吸気ストリーム中央の内部での混合を促進するために、同心円筒チャンバを使用する。絶縁体（例えば、誘電材料等）上の表面特徴物及び電極表面は、吸気ストリーム中の空気の混合を増強するために利用され、吸気ストリーム中の酸化体の発生を促進する。プラズマ発生器の内部の所与のエリア（例えば、反応領域）内のプラズマの量を最大にするための、吸気ストリーム中（例えば、プラズマ発生器の内壁、同心円筒チャンバの内壁及び外壁等の上）のパターン化された電極アレイである。高電圧電界も、正確な流れベクトル（ｆｌｏｗ  ｖｅｃｔｏｒｉｎｇ）と共に吸気ストリームに推力を付与するために使用される。ブラインドメイトコネクタ及び他のユーザフレンドリなコネクタが構成部品間（例えば、電源モジュールと電極との間等）に使用され、それにより、本発明の主題の実施形態は、使用しやすく、ユーザフレンドリであり、組立及び保守時に安全なものとなる。
【００３０】
好ましい実施形態において、機器の構成要素は、自己接地型であり、高電圧配線及び接続の少なくとも一部（好ましくは全部）を外部システムから遮蔽し、それにより、動作中にプラズマ発生器と接触しても安全である。プラズマ発生器は、好ましくは、外部の電気、制御又は通信システムとの電気的干渉からさらに遮蔽される。例えば、幾つかの実施形態において、少なくとも幾つか（好ましくは全部）の高電圧構成要素は、プラズマ発生器（例えば、リアクタ）の筐体に取り付けられて遮蔽される。幾つかの実施形態において、複数のモジュラ電源が使用され、これらは、一緒に絶縁電極群に電源供給し（例えば、モジュラ電源と電極群との比は、１：１、１：２、１：３、１：４、１：５、１：１０又は１：２０等である）、それにより、１つのモジュラ電源と電極群とのペアが故障しても、他のモジュラ電源及びペアの電極群がバックアップとして動作するように利用可能である。幾つかの実施形態において、このようなモジュラ電源及びペアの電極群は、故障した電源と電極とのペアを補償するために通常の動作時より高い電力又は電圧、例えば通常の動作パラメータの１１０％、１２０％、１３０％、１４０％、１５０％、２００％又はそれを超えて動作できる。不良な電源、電源コントローラ又は電極インサートも、同様に、プラズマ発生器の他の電力送達モジュール、電源コントローラ又は電極インサートの性能に影響を与えずに取り外し、交換することができる。
【００３１】
プラズマ発生器（例えば、リアクタ）は、好ましくは、ＩＣＥエンジンの吸気ストリーム中の排気再循環（「ＥＧＲ」：ｅｘｈａｕｓｔ  ｇａｓ  ｒｅｃｉｒｃｕｌａｔｉｏｎ）の上流に配置されて、例えば水蒸気及び微粒子状物質（例えば、煤）等による絶縁体及び他のプラズマ発生器の構成要素の汚染の可能性を排除する。さらに、リアクタ／プラズマ発生器内の絶縁体は、好ましくは、釉薬を施したトップコートを有して、排気ガスの成分又はＩＣＥエンジンのエアインテークの内部の他のあらゆる液体、気体及び／又は微粒子状物質に対して少なくとも半透過性、好ましくは不透過性とされる。幾つかの実施形態において、センサは、プラズマ発生器の内部のプラズマ又は吸気ストリーム中の圧力差（若しくは電圧フィードバック又はそれらの両方）を検出し、電源コントローラは、プラズマ発生器の電極の放電を変化させて、圧力差（若しくは電圧フィードバック又はそれらの両方）を補償する。
【００３２】
図１は、本発明の主題の電極の断面図である。図１は、管の途中の断面１００を示し、内部導体１１０及び誘電体層１２０を有する。内部導体１１０は、好ましくは、少なくとも部分的に（より好ましくは全体的に）ステンレススチール、ニッケル、チタン、銅、タングステン若しくはアルミニウム又はそれらの組合せで製作される。誘電体層１２０は、好ましくは、少なくとも部分的に石英、セラミック（例えば、アルミナセラミック）、マイカ、バリウム、チタン、チタン酸ストロンチウム、共役ポリマ、チタン酸カルシウム銅又はそれらの組合せで製作され、好ましくは無孔である。好ましい実施形態において、内部導体１１０の直径は、約１ｍｍであるが、０．５ｍｍ、２ｍｍ、３ｍｍ及び５ｍｍの直径も想定される。同様に、誘電体層の外壁から測定された誘電体層１２０の直径は、好ましくは、約５ｍｍであり、常に内部導体１１０の直径より大きい。
【００３３】
図２ａは、ＩＣＥエンジンの吸気ストリーム中における、本発明の主題の電極２１０ａの周囲の物質（例えば、空気）の流れを示す。電極２１０ａの直後の下流に分離点２２０ａがあり、ここで、電極２１０ａを越えて左から右に流れる物質（例えば、空気）が電極から分離する。分離点２２０ａの下流に後流領域２３０ａがあり、これは、電極の下流の物質の流れにおける乱流を示す。この実施形態において、後流領域２３０ａ中の物質は、大きく乱れ、電極を越えた物質の流れの抵抗が増大し、混合ダイナミクスが非対称となる。電極２２０ａの形状及び表面輪郭並びに他の電極の間隔及び配置を調整して、抵抗を増減させ、また電極の下流に非対称の混合ダイナミクス、対称の混合ダイナミクスを誘導するか、又は混合ダイナミクスを誘導しないようにすることができる。
【００３４】
図２ｂは、ＩＣＥエンジンの吸気ストリーム中における、本発明の主題の電極２１０ｂの周囲の物質（例えば、空気）の流れを示し、物質の流れは、図２ａと比較して低減した抵抗及び後流領域２３０ｂ内の対称の混合ダイナミスクを示し、分離点２２０ｂは、図２ａ及び分離点２２０ａと比較して小さい。
【００３５】
図２ｃは、ＩＣＥエンジンの吸気ストリーム中における、本発明の主題の電極２１０ｃの周囲の物質（例えば、空気）の流れを示し、物質の流れは、図２ｂと比較して低減した抵抗を示し、後流領域２３０ｃ内に混合ダイナミスクがなく、分離点２２０ｃは、図２ｂと比較してさらに小さい。
【００３６】
図３は、本発明の主題のインテークプラズマ発生器内の電極３１０のアレイ３００ａ及び３００ｂの断面図であり、各アレイは、異なる流動ダイナミクスを示す。管断面流路面積３２０ａ及び３２０ｂは、アレイを通して各電極の管の内側及び外側の両方を流れる物質（例えば、気体、液体、固体、プラズマ、それらの組合せ）についての流れ特性（背圧、流速、動的形状、渦周波数）を特定するように調整される。例えば、断面流路面積３２０ａは、断面流路面積３２０ｂより小さく、アレイを通る物質のより制約された流れを生じさせる。
【００３７】
図４は、本発明の主題のインテークプラズマ発生器の電極のアレイ４００ａ、４００ｂ、４００ｃ及び４００ｄを示し、各アレイは、異なる流動ダイナミスクを示す。ここで、アレイ４００ａは、正方形９０°構成であり、アレイ４００ｂは、正方形４５°構成であり、アレイ４００ｃは、三角形３０°構成であり、及びアレイ４００ｄは、三角形４５°構成である。管（電極）アレイ構成は、管のそれぞれの隣接する管に関する相関位置に応じて混合及び抵抗を促進又は縮小することができる。
【００３８】
図５Ａは、本発明の主題のインテークプラズマ発生器５００の電極（管）のアレイ５３０の正面図を示し、各管の軸が吸気ストリーム中の物質（例えば、空気）の流れに垂直になるように配置されている。プラズマ発生器５００は、筐体５１０を含み、そのリム５２０は、インテークプラズマ発生器５００の吸気ストリーム中に配置された電極のアレイ５３０への流れを提供する。図５Ｂは、プラズマ発生器５００の別の図を示し、図５Ａのインテークプラズマ発生器５００の断面斜視図である。
【００３９】
図６は、本発明の主題のインテークプラズマ発生器６００のそれぞれの電極（管）６２０の各々の外側誘電体層表面６１０間のＤＢＤ放電６３０を示す。ＤＢＤ放電６３０は、インテークプラズマ発生器を通る物質（例えば、空気）の流れ中に酸化体を生成する。
【００４０】
図７は、本発明の主題のインテークプラズマ発生器で使用される他の実施形態である電極７００を示す。電極７００は、電極（管）７２０の外側誘電体層７２２を取り囲む第二の高電圧電極７１０を含む。第二の高電圧電極７１０は、上流の穿孔７１２及び下流の穿孔７１４も含み、これらにより、吸気ストリーム中の物質（空気）が穿孔を通して流れることができ、これらの物質は、誘電体層７２２と第二の高電圧電極７１０との間のプラズマ放電７３０（典型的には非熱プラズマ、ＤＢＤ又はハイブリッドプラズマ、好ましくはＤＢＤ、フィラメント又はグロープラズマ）にさらされる。
【００４１】
図８は、電極（管）７００ａ及び７００ｂのアレイ８００を示し、各々が図７に示されるような第二の高電圧電極（穿孔あり）によって取り囲まれている。この配置では、誘電体層と各ペアの第二の高電圧電極との間のアークプラズマ放電（又はＤＢＤ、又はハイブリッドプラズマ、又はフィラメント、又はグロープラズマ）に加えて、各ペアの穿孔された第二の高電圧電極間にアークプラズマ放電（又はＤＢＤ、又はハイブリッドプラズマ）８１０が起こる。
【００４２】
図９は、本発明の主題のインテークプラズマ発生器の１つの実施形態において、各発生器９１０間に発生する第一及び第二のプラズマ放電９２０及び９２２（例えば、非熱プラズマ、フィラメントプラズマ、グロープラズマ、ＤＢＤプラズマ等）とともに電極（管）９１０の９００アレイを示し、物質（例えば、空気）は、矢印Ａの方向に流れる。業界標準のプラズマ改質器は、１つの電圧で動作する単一の放電を有する。より多くの酸化体を生成する必要がある場合、単純により多くの電力を追加することのみによる酸化体の増加範囲は、限定的であり、これは、例えば、酸化体生成効率を低下させる排熱に起因する。しかしながら、本発明の主題は、より多くの酸化体を生成する必要がある場合、より高い電圧で動作する（例えば、第一の放電（３０ｋｖ、２０ｋｖ、１０ｋｖ、５ｋｖ等未満）より高い電圧（例えば、３０ｋｖ、４０ｋｖ、５０ｋｖ又は６０ｋｖ等より高い）の第二の放電）、複数の放電地点（例えば、第一の放電９２０及び第二の放電９２２等）を想定する。
【００４３】
図１０は、本発明の主題の電極アレイを含むインテークプラズマ発生器の代替的な実施形態を示し、これは、電極アレイ（パターン化された管）の上流に配置されたプラズマアクチュエータ（アクチュエータ外部電極及びアクチュエータ内部電極を含む）をさらに含む。プラズマ発生器１０００は、筐体１０１０を含み、それには、ＩＣＥエンジンのインテークにおいて、上流の開口１０１４を通り、アクチュエータ内部電極１０３２を通過し、電極アレイ（パターン化された管）１０２０を通り、下流の開口１０１６から出る空気の流れを受けるための流路１０１２がある。高電圧ＡＣ及び／又はＤＣは、電極アレイ１０２０の管の表面と、アクチュエータ電極１０３０及び１０３２との間に印加され、気体の流れを取り込んでよりコヒーレントとなる。この効果は、管上の前面抵抗を低減させるのに有益である。アクチュエータ外部電極１０３０は、上流開口１０１４の外側に円周方向に配置され、プラズマ放電を隔離するために誘電体基板内に埋め込まれる。アクチュエータ内部電極１０３２は、上流開口１０１４の内側表面に円周方向に配置され、電極の縁にプラズマを発生させて、空気の流れに推進力を付与し、管アレイ１０２０上の前面抵抗を有効に低減させる。管アレイ１０２０は、プラズマ発生器１０００の空気のストリーム中に配置され、酸化体を生成して、これを空気のバルク流と混合させる。
【００４４】
図１１は、本発明の主題のシステム１１００の概略図を示し、これは、ＩＣＥ１１２０の吸気ストリーム中で動作するインテークプラズマ発生器１１１０を含む。空気は、矢印Ａで示される方向においてインテークプラズマ発生器１１１０内に入り、それを通して流れる。インテークプラズマ発生器１１１０は、空気を混合し、推力／空気の流れを増大させ、空気流中に一貫した分布の酸化体を生成する。酸化体を含む空気流は、矢印Ｂで発生器１１１０から出て、ＩＣＥ１１２０内に（例えば、インテークマニホルドからシリンダに）流れる。酸化体を含む空気流は、ＩＣＥ１１２０の燃焼特性を改善し、排ガスは、矢印Ｃで排出される。システム１１００は、発生器１１１０を有さずに動作するシステムと比較してＩＣＥ１１２０の効率を向上させ、出力を増大させ、排出ガスを低減させる。
【００４５】
図１２は、本発明の主題のシステム１２００の概略図を示し、これは、ＩＣＥ１２４０の吸気ストリームＡ中で動作するインテークプラズマ発生器１２１０を含む。空気は、矢印Ａの方向においてプラズマ発生器１２１０内に入り、それを通して流れる。プラズマ発生器１２１０は空気を混合し、推力／空気の流れを増大させ、プラズマを用いて空気流中に一貫した分布の酸化体を生成する。酸化体を含む空気流は、矢印Ｂで発生器１２１０から出て、プレナム／マニホルド１２３０内に流れ、これは、流れをＩＣＥ１２４０に（例えば、シリンダに）さらに分配する。矢印Ｂにおける酸化体を含む空気流は、ＩＣＥ１２４０の燃焼特性を改善する。発生器１２１０は、ＥＧＲ１２２０の上流に配置される点にも留意すべきであり、これにより、発生器１２１０が水分、微粒子状物質（例えば、煤）又はＩＣＥ１２４０に再循環されるＥＧＲ１２２０からの他の汚染物質で汚染されることを回避する。システム１２００は、発生器１２１０を有さずに動作するシステムと比較してＩＣＥ１２４０の効率を向上させ、出力を増大させ、排出が図を低減させる。
【００４６】
図１３は、本発明の主題のプラズマ発生器１３１０の動作の概略図１３００を示す。プラズマ発生器１３１０は、電力送達モジュール１３２２、１３２４及び１３２６を含み、その各々は、独立して、プラズマ発生器１３１０内のそれぞれ絶縁された電極アレイ１３３２、１３３４及び１３３６に電気的に連結される。電力送達モジュール１３２２、１３２４及び１３２６の各々は、概略図中の破線、点線及び二点鎖線によって示されるようなＩＣＥエンジンの動作ステージＡ、Ｂ及びＣで絶縁された電極アレイ１３３２、１３３４及び１３３６を別々に駆動する。
【００４７】
ステージＡは、ＩＣＥエンジンのコールドスタートである。ステージＡ中、電力送達モジュール１３２２、１３２４及び１３２６の各々は、絶縁された電極アレイ１３３２、１３３４及び１３３６に電力を供給して、空気流中にプラズマ（例えば、ＤＢＤ、アーク、ハイブリッド等）、好ましくはＤＢＤを発生させる。これは、プラズマ発生器１３１０を通り、ＩＣＥエンジン（例えば、エンジンのシリンダ）に入る空気流の推力を増大させ、酸化体及び他のラジカルを空気流中に導入し、空気流を混合して、酸化体及びラジカルの安定した混合物を生成する。推力の増大及び酸化体／ラジカルの混合は、コールドスタート時のＩＣＥエンジンの出力及び効率を大幅に向上させ、且つエンジンの汚染物質排出を実質的に低減させる。なぜなら、エンジン内の排ガス削減のための触媒は、ＩＣＥエンジンの熱平衡に到達するまで十分に又は最適に機能しないからである。
【００４８】
ステージＢは、ＩＣＥエンジンの動作の、エンジンが熱平衡に近づきつつあるコールドスタート後のステージである。ステージＢ中、電力送達モジュール１３２２及び１３２６の各々は、絶縁された電極アレイ１３３２及び１３３６に電力を供給して、空気流中にプラズマ（例えば、ＤＢＤ、アーク、ハイブリッド等）、好ましくはＤＢＤを発生させる。これも同様に推力及び空気流中に存在する酸化体／ラジカルを増大させ、それは、ＩＣＥエンジンの出力及び効率を向上させ、且つ有害排出ガスを大幅に低減させる。ステージＣは、ＩＣＥエンジンの動作の、エンジンが熱平衡に到達した熱平衡後のステージである。このステージでは、電力送達モジュール１３２２のみが、絶縁された電極アレイ１３３２に電力を送達して、プラズマを発生させ、それが推力及び空気流中の酸化体／ラジカルの存在を増大させる。
【００４９】
図１４Ａは、本発明の主題のプラズマ発生器１４００の分解図を示し、これは、電源筐体１４１０、リアクタ本体１４２０及び絶縁体電極インサート１４３０を含む。組み立てた状態で、絶縁体電極インサート１４３０は、リアクタ本体１４２０内に入れられ（矢印Ａ）、電源筐体１４１０は、リアクタ本体１４２０の周囲を取り込む（矢印Ｂ）。電源筐体１４１０は、電力送達モジュール１４１２、１４１４及び（図示されていない）１４１６を含む。リアクタ本体１４２０は、リアクタ回路１４２２、１４２４及び（図示されていない）１４２６を含み、これは、発生器１４００が動作可能な形態であるとき、電力送達モジュール１４１２、１４１４及び１４１６の各々に連結される。絶縁体電極インサート１４３０は、例えば、図１３において開示される方法において、入れ子状の絶縁された電極アレイ１４３２、１４３４及び１４３６（図示せず）を含む。絶縁された電極アレイ１４３２、１４３４及び１４３６の各々は、例えば、電気フィードスルーポート１４３２を介してそれぞれリアクタ回路１４２２、１４２４及び１４２６に電気的に連結され、発生器１４００が動作可能な形態にあるとき、それぞれ電力送達モジュール１４１２、１４１４及び１４１６によって電源供給される。
【００５０】
図１４Ｂは、本発明の主題のプラズマ発生器１４００の動作可能な形態を示す。電力送達モジュール１４１２、１４１４及び１４１６は、発生器１４００の外部の周囲に配置される。発生器１４００のリアクタチャンバは、外側シリンダ１４４０及び内側シリンダ１４５０を含む。外側シリンダ１４４０は、外側シリンダ１４４０の内面上の誘電材料１４４１に沿って配置される電極パターン１４４２を含む。内側シリンダは、外側シリンダ１４４０のほぼ中央に配置され、内側シリンダ１４５０の内面上の誘電材料１４５１に沿って配置される電極パターン１４５２を含む。
【００５１】
図１４Ｃは、プラズマ発生器１４００の側面から見た分解図をさらに示す。
図１４Ｄは、リアクタ筐体１４６０の周囲に配置されたリアクタ回路１４２２、１４２４及び１４２６を含むリアクタ本体１４２０の側面分解図をさらに示す。
【００５２】
図１４Ｅは、絶縁体電極インサート１４３０の軸断面図をさらに示し、これは、外側シリンダ１４４０（シリンダ壁の誘電材料上の電極パターンを含む）と、外側シリンダ１４５０のほぼ中央に配置された内側シリンダ１４５０（再びシリンダ内壁及び外壁の誘電材料の上の電極パターンを有する）とを有する。内側シリンダ１４５０は、外側シリンダ１４４０内において、電気フィードスルーポート１４３２（図示せず）を含む支持コラム１４３４によって配置される。動作中、絶縁体電極インサートは、ＤＢＤを発生させ、電極の電荷分布は、領域Ａで負の電荷、領域Ｂで正の電荷及び領域Ｃで負の電荷となる。
【００５３】
図１５Ａは、本発明の主題のプラズマ発生器１５００の横断面図を示す。図１５Ｂは、プラズマ発生器１５００の領域Ａの拡大図を示し、図１５Ｃは、プラズマ発生器１５００の領域Ｂの拡大図を示す。
【００５４】
図１５Ｂは、プラズマ発生器１５００の領域Ａの拡大図を示し、これは、外側シリンダ１５１０及び内側シリンダ１５２０を含む。外側シリンダ１５１０及び内側シリンダ１５２０の壁は、実質的に誘電材料（例えば、石英、アルミナセラミック、マイカ、チタン酸バリウム、チタン酸ストロンチウム、共役ポリマ、チタン酸カルシウム銅等）で製作される。アクチュエータの外側電極１５１２及び１５１４は、外側シリンダ１５１０の外周に沿って配置され、プラズマ放電を隔離するために誘電材料中に埋め込まれる。露出した電極パターン１５１６は、外側シリンダ１５１０の内周に沿って配置され、電極パターン１５１６の縁にプラズマ（例えば、ＤＢＤ、アーク、ハイブリッド、好ましくはＤＢＤ）を発生させるために使用され、次に酸化体及び他のラジカルを発生させる一方、外側シリンダを通る空気流に推進力を付与し、シリンダの内壁の抵抗を有効に低減させる。内側シリンダ１５２０は、内側シリンダ１５２０の外周に沿った電極パターン１５２２及び内側シリンダ１５２０の内周に沿った電極パターン１５２４も含む。電極パターン１５２２及び１５２４も、同様に、電極パターンの縁にプラズマ（例えば、ＤＢＤ、アーク、ハイブリッド、好ましくはＤＢＤ）を発生させるために使用され、次に酸化体及び他のラジカルを発生させる一方、外側及び内側シリンダを通る空気流に推進力を付与する。
【００５５】
図１５Ｃは、プラズマ発生器１５００の領域Ｂの拡大図を示し、これは、支持コラム１５３０及びリアクタコントロール１５４０を含む。支持コラム１５３０の壁１５３１は、実質的に誘電材料（例えば、石英、アルミナセラミック、マイカ、チタン酸バリウム、チタン酸ストロンチウム、共役ポリマ、チタン酸カルシウム銅等）で製作され、内側及び外側シリンダに連結される。支持コラム１５３３は、接地ワイヤ１５３５の付近に高電圧絶縁１５３３（例えば、テフロン（登録商標）、セラミック、石英、シリコン、それらの組合せ等で製作される）をさらに含む。リアクタコントロール１５４０は、プラズマ電源回路構成要素１５４１を含み、これらは、電極でのプラズマの生成を制御する。リアクタコントロール１５４０は、接地ワイヤ１５４６をさらに含み、これは、リアクタ筐体１５４８に（接地ワイヤ１５３５と共に）さらに連結される。リアクタコントロール１５４０は、高電圧変圧器コア１５４３及び高電圧変圧器二次コイル１５４５をさらに含む。回路筐体１５４４及び回路筐体カバー１５４２は、リアクタコントロール１５４０をさらに取り囲む。図１５Ｃから、プラズマ発生器１５００の構成要素が自己接地型であることが分かるはずである。
【００５６】
図１６Ａは、本発明の主題のプラズマ発生器のリアクタ筐体１６００の電力カップリング１６１０を示す。電力カップリング１６１０は、雄のブラインドメイトコネクタ１６１２及び１６１４を含み、これらは、テーパ状であり、高電圧である。電力カップリング１６１０は、ブラインドメイトテーパスライドコネクタ１６１６をさらに含み、これは、電力送達モジュールの相補的なテーパ状のスライドコネクタと嵌合し、電力送達モジュールを案内して電力カップリング１６１０と連結するように設計される。
【００５７】
図１６Ｂは、本発明の主題のプラズマ発生器の電力送達モジュール１６２０を示す。電力送達モジュール１６２０は、雌のブラインドメイトコネクタ１６２２及び１６２４を含み、これらは、テーパ状であり、高電圧である。雌コネクタ１６２２及び１６２４は、雄コネクタ１６１２及び１６１４と相補的であり、電力送達モジュール１６２０を電力カップリング１６１０に電気的に連結するような大きさ及び寸法である。電力送達モジュール１６２０は、ブラインドメイトテーパスライドコネクタ１６２６をさらに含み、これらは、電力カップリング１６１０の相補的なテーパスライドコネクタ１６１６と嵌合し、電力送達モジュール１６２０を案内して、電力カップリング１６１０に連結するように設計される。
【００５８】
図１６Ｃは、リアクタ筐体１６００のカップリング１６１０と連結された電力送達モジュール１６２０の断面図を示す。雄コネクタ１６１２（及び１６１４）は、セラミックカバー１６１１及び導体１６１３を含む。雄コネクタ１６１２は、電力送達モジュール１６２０のセラミックカバー１６２５と連結され、それにより、導体１６１３は、雌コネクタ１６２２の導体と接触する。電力送達モジュールは、高電圧変圧器コア１６２８をさらに含み、これは、少なくとも部分的に高電圧変圧器一次コイル１６２７によって取り囲まれる。上筐体カバー１６２１及び下筐体カバー１６２３は、電力送達モジュール１６２０の内容物を取り囲む。
【００５９】
図１７は、本発明の主題の実施形態の分解図を示し、プラズマ発生器１７１０は、エアインテーク管１７２１及び１７２３を含む既存のエアインテークシステムに連結されている。
【００６０】
図１８は、本発明の主題の実施形態を示し、プラズマ発生器１８１０は、ＩＣＥエンジンのエアインテークエルボウと一体化されている。
図１９は、本発明の主題の実施形態の一部分解図を示し、プラズマ発生器１９１０及び１９２０は、エアインテーク管１９３１及び１９３２と整列されて直列に（例えば、対面して）連結されている。
【００６１】
図２０は、本発明の主題の実施形態の図を示し、プラズマ発生器２０１０は、ＩＣＥエンジンの４シリンダマニホルド２０２０に連結されている。
図２１は、本発明の主題の実施形態の図を示し、プラズマ発生器２１１０は、ＩＣＥエンジンの３シリンダマニホルド２１２０に連結されている。
【００６２】
図２２Ａは、本発明の主題のジェットタービンインレットカウル２２００を示す。ジェットタービンインレットカウル２２００は、外側シリンダ２２１０と、外側シリンダ２２１０のほぼ中央に配置された内側シリンダ２２２０と、内側シリンダ２２１０を所定の位置に固定する支持コラム２２３０とを含む。外側シリンダ２２１０は、シリンダの内面上の誘電材料２２１１をさらに含み、誘電材料２２１１上に電極パターン２２１２を有する。内側シリンダ２２２０は、シリンダの壁を構成する誘電材料２２２１を含み、内側シリンダ２２２０の内面に沿って配置された電極パターン２２２２と、内側シリンダ２２２０の外面に沿って配置された電極パターン２２２３とを有する。
【００６３】
図２２Ｂは、ジェットタービンインレットカウル２２００の断面図を示し、電源回路２２４１、接地ワイヤ２２４２及び２２４３及びコンプレッサ２２５０をさらに示す。電源回路２２４１は、電極パターンを動作させてプラズマ（例えば、ＤＢＤ、アーク、ハイブリッド等）を発生させる。接地ワイヤ２２４２及び２２４３は、それぞれ内側シリンダとインレットカウルを接地する。
【００６４】
図２３Ａは、本発明の主題の絶縁体電極インサート２３００の軸断面図を示し、これは、外側シリンダ２２１０、内側シリンダ２２２０、及び内側シリンダ２２２０を所定の場所に固定する複数の管電極２３３０（例えば、図１の管電極）を含む。
【００６５】
図２３Ｂは、絶縁体電極インサート２３００の断面図を示す。複数の管電極２３３０は、内側シリンダ２３２０の周囲にあるパターンで配置される。プラズマアクチュエータ電極２３４２は、内側シリンダ２３２０の外周に沿ってあるパターンで配置される一方、プラズマアクチュエータ電極２３４６は、内側シリンダ２３２０の内周に沿ってあるパターンで配置される。プラズマアクチュエータ電極２３４４は、外側シリンダ２３１０の内周に沿ってあるパターンで配置される。
【００６６】
図２４は、本発明の主題の絶縁体電極インサート２４００の軸断面図を示す。絶縁体電極２４００は、六角形の形状（例えば、六角プリズム）を有し、誘電材料で製作された６つの絶縁体電極板を含み、電極パターンは、各板の外面及び内面に配置される。電極パターンは、プラズマ（例えば、ＤＢＤ、アーク、ハイブリッド等）を発生するように動作され、電極の電荷分布は、領域Ａで負の電荷及び領域Ｂで正の電荷である。
【００６７】
以下の議論は、本発明の主題の多くの例示的実施形態を提供する。各実施形態は、本発明の要素の１つの組合せを表すが、本発明の主題は、開示された要素のあらゆる可能な組合せを含むと考えられる。したがって、１つの実施形態が要素Ａ、Ｂ及びＣを含み、第二の実施形態が要素Ｂ及びＤを含む場合、本発明の主題は、明示的に開示されていないとしても、Ａ、Ｂ、Ｃ又はＤによる他の残りの組合せも含むと考えられる。
【００６８】
本明細書で使用されるとき且つ文脈上他の解釈が必要でない限り、「に連結される（ｃｏｕｐｌｅｄ  ｔｏ）」という用語は、直接的な連結（相互に連結される２つの要素が相互に接触する）と、間接的な連結（少なくとも１つの追加の要素が２つの要素間にある）との両方を含むものとする。したがって、「に連結される（ｃｏｕｐｌｅｄ  ｔｏ）」及び「と連結される（ｃｏｕｐｌｅｄ  ｗｉｔｈ）」という用語は、同じ意味として使用される。
【００６９】
記載されたもの以外にも、本明細書に記される本発明の概念から逸脱せずに多くのさらなる改良形態が可能であることが当業者に明らかであるはずである。したがって、本発明の主題は、添付の特許請求の範囲の趣旨以外に限定されない。さらに、本明細書及び特許請求の範囲の両方を解釈するうえで、すべての用語は、文脈と矛盾しない最大限に広い範囲で解釈すべきである。特に、「含む（ｃｏｍｐｒｉｓｅｓ）」及び「含んでいる（ｃｏｍｐｒｉｓｉｎｇ）」という用語は、要素、構成要素又はステップに非限定的な方法で言及し、言及された要素、構成要素又はステップが、明示的に言及されていない他の要素、構成要素又はステップと共に存在するか若しくは利用されるか又は組み合わされ得ることを意味すると解釈すべきである。本明細書及び特許請求の範囲が、Ａ、Ｂ、Ｃ、．．．及びＮからなる群から選択される何らかの少なくとも１つに言及する場合、その文章は、Ａ及びＮ又はＢ及びＮ等ではなく、その群内の１つの要素のみを必要とすると解釈すべきである。
【図１】
2021525849.tif 000003
【図２Ａ】
2021525849.tif 000004
【図２Ｂ】
2021525849.tif 000005
【図２Ｃ】
2021525849.tif 000006
【図３】
2021525849.tif 000007
【図４】
2021525849.tif 000008
【図５Ａ】
2021525849.tif 000009
【図５Ｂ】
2021525849.tif 000010
【図６】
2021525849.tif 000011
【図７】
2021525849.tif 000012
【図８】
2021525849.tif 000013
【図９】
2021525849.tif 000014
【図１０】
2021525849.tif 000015
【図１１】
2021525849.tif 000016
【図１２】
2021525849.tif 000017
【図１３】
2021525849.tif 000018
【図１４Ａ】
2021525849.tif 000019
【図１４Ｂ】
2021525849.tif 000020
【図１４Ｃ】
2021525849.tif 000021
【図１４Ｄ】
2021525849.tif 000022
【図１４Ｅ】
2021525849.tif 000023
【図１５Ａ】
2021525849.tif 000024
【図１５Ｂ】
2021525849.tif 000025
【図１５Ｃ】
2021525849.tif 000026
【図１６Ａ】
2021525849.tif 000027
【図１６Ｂ】
2021525849.tif 000028
【図１６Ｃ】
2021525849.tif 000029
【図１７】
2021525849.tif 000030
【図１８】
2021525849.tif 000031
【図１９】
2021525849.tif 000032
【図２０】
2021525849.tif 000033
【図２１】
2021525849.tif 000034
【図２２Ａ】
2021525849.tif 000035
【図２２Ｂ】
2021525849.tif 000036
【図２３Ａ】
2021525849.tif 000037
【図２３Ｂ】
2021525849.tif 000038
【図２４】
2021525849.tif 000039
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
吸気ストリームに連結された燃焼室を有する内燃機関（ＩＣＥ）用のインテークプラズマ発生器であって、
少なくとも部分的に前記吸気ストリームの基端側に配置された第一及び第二の誘電体バリア放電（ＤＢＤ）電極を含み、
前記第一のＤＢＤ電極は、非熱プラズマを発生させ、
前記第一及び第二のＤＢＤ電極は、吸気ストリーム中の反応領域に複数の酸化体を生成し、前記複数の酸化体は、前記吸気ストリームの物質を処理して、前記燃焼室内の燃焼効率を高める、インテークプラズマ発生器。
【請求項２】
前記第一のＤＢＤ電極はプラズマアクチュエータである、請求項１に記載のインテークプラズマ発生器。
【請求項３】
前記第一のＤＢＤ電極の上流側で、前記プラズマ発生器の内壁上に円周方向に配置されたプラズマアクチュエータをさらに備える、請求項１又は２に記載のインテークプラズマ発生器。
【請求項４】
前記第一のＤＢＤ電極の壁は、前記壁の外側に配置された第一の高電圧電極の接地電極である、請求項２に記載のインテークプラズマ発生器。
【請求項５】
前記第二のＤＢＤ電極の壁は、前記第二のＤＢＤ電極の壁の外側に配置された第二の高電圧電極の接地電極である、請求項４に記載のインテークプラズマ発生器。
【請求項６】
第三のＤＢＤ電極をさらに備え、前記第一、第二、及び第三の電極は、前記吸気ストリーム中に配置されて、前記吸気ストリームを通過する物質のカルマン渦列の流体不安定性を相互に補償する、請求項１〜５のいずれか一項に記載のインテークプラズマ発生器。
【請求項７】
前記第一及び第二のＤＢＤ電極は、前記各電極の最大長さに沿った軸をそれぞれ有し、前記第一及び第二のＤＢＤ電極は、各軸が前記吸気ストリーム中の物質の流れに垂直な状態で前記吸気ストリーム中に配置される、請求項２に記載のインテークプラズマ発生器。
【請求項８】
前記第一及び第二のＤＢＤ電極は、壁を含む管状である、請求項１〜７のいずれか一項に記載のインテークプラズマ発生器。
【請求項９】
燃焼室に連結された吸気ストリームを有する内燃機関（ＩＣＥ）用のインテークプラズマ発生器であって、
前記インテークプラズマ発生器の円周方向の内面に配置され、前記吸気ストリーム内に配置され且つ少なくとも部分的に前記吸気ストリームに露出された第一のプラズマアクチュエータと、
前記インテークプラズマ発生器の内面に配置され、前記吸気ストリーム内に配置され且つ少なくとも部分的に前記吸気ストリームに露出されたＤＢＤ電極と、を備え、
前記第一のプラズマアクチュエータ又はＤＢＤ電極は、前記吸気ストリーム中に複数のラジカルを生成し、前記複数のラジカルは、前記燃焼室における燃焼効率を高める、インテークプラズマ発生器。
【請求項１０】
前記プラズマ発生器は、前記ＩＣＥの排気再循環（ＥＧＲ）の上流に配置され、前記ＤＢＤ電極は、第二のプラズマアクチュエータである、請求項９に記載のインテークプラズマ発生器。
【請求項１１】
前記インテークプラズマ発生器内に配置され、前記インテークプラズマ発生器の一部に実質的に平行に配置されたシリンダをさらに備え、前記シリンダは、前記シリンダの表面の周囲に第二のプラズマアクチュエータ電極を備え、前記シリンダは前記複数のラジカルの混合を誘発する、請求項９又は１０に記載のインテークプラズマ発生器。
【請求項１２】
前記第一のプラズマアクチュエータは非熱プラズマを生成する、請求項９〜１１のいずれか一項に記載のインテークプラズマ発生器。
【請求項１３】
電気的に遮蔽され、前記インテークプラズマ発生器に連結された回路筐体をさらに含み、前記電気的に遮蔽された回路筐体は、接地ワイヤ及び高電圧変圧器用の高電圧ワイヤを取り囲む、請求項９〜１２のいずれか一項に記載のインテークプラズマ発生器。
【請求項１４】
前記プラズマ発生器のリアクタチャンバは接地されている、請求項１３に記載のインテークプラズマ発生器。
【請求項１５】
前記第一のプラズマアクチュエータ又は前記ＤＢＤ電極のうちの少なくとも１つは、プラズマを使用して前記吸気ストリームに推力を生成する、請求項９〜１４のいずれか一項に記載のインテークプラズマ発生器。
【請求項１６】
前記第一のプラズマアクチュエータは、前記ＤＢＤ電極の上流側で、前記内面の円周方向に沿って埋め込まれている、請求項９〜１５のいずれか一項に記載のインテークプラズマ発生器。
【請求項１７】
電力送達モジュールは、前記インテークプラズマ発生器のリアクタへのブラインドメイト接続を有する、請求項９〜１６のいずれか一項に記載のインテークプラズマ発生器。
【請求項１８】
第一及び第二の電力送達モジュールは、前記第一のプラズマアクチュエータ電極及び第二のプラズマアクチュエータ電極に独立して電力を供給する、請求項９〜１７のいずれか一項に記載のインテークプラズマ発生器。
【請求項１９】
前記シリンダは、前記シリンダから半径方向に延びる構造部材によって支持され、前記構造部材は、電極を含む、請求項１１に記載のインテークプラズマ発生器。
【請求項２０】
ＩＣＥ装置の空気の吸気ストリームに構造的に一体化されている、又は別個に追加されている、請求項９〜１９のいずれか一項に記載のプラズマ発生器を含むシステム。
【国際調査報告】
2021525849.tif 000040
2021525849.tif 000041